(57)【要約】【課題】  本発明は、不審者の映像を多角的に取得して監視する手段を提供することを目的とする。【解決手段】  サーバ装置は、位置情報受信部、不審者情報受信部、特定部、送信要求部、映像情報受信部を備える。位置情報受信部は、位置情報を、電子カメラ毎に無線通信を介して受信する。不審者情報受信部は、不審者情報を、複数の電子カメラのうちの少なくとも１つから無線通信を介して受信する。特定部は、不審者情報受信部が不審者情報を受信した場合、不審者情報を送信した電子カメラからの位置情報に基づいて、その電子カメラの周辺に存在する電子カメラを特定する。送信要求部は、不審者情報を送信した電子カメラ及び特定部が特定した電子カメラに対して、不審者情報に基づく映像情報の送信要求を無線通信を介して送信する。映像情報受信部は、不審者情報を送信した電子カメラ及び特定部が特定した電子カメラから映像情報を無線通信を介して受信する。【選択図】    図１
2013161098.tif 000002
【特許請求の範囲】
【請求項１】
無線通信手段を有する電子カメラが外部から取得した現在位置を示す位置情報を、ユーザが所持する前記電子カメラ毎に無線通信を介して受信する位置情報受信部と、
前記電子カメラにより撮影された画像の解析結果から得られた不審者を示す不審者情報を、複数の前記電子カメラのうちの少なくとも１つから前記無線通信を介して受信する不審者情報受信部と、
前記不審者情報受信部が前記不審者情報を受信した場合、前記不審者情報を送信した電子カメラからの位置情報に基づいて、該電子カメラの周辺に存在する電子カメラを特定する特定部と、
前記不審者情報を送信した電子カメラ及び前記特定部が特定した電子カメラに対して、前記不審者情報に基づく映像情報の送信要求を前記無線通信を介して送信する送信要求部と、
前記不審者情報を送信した電子カメラ及び前記特定部が特定した電子カメラから前記映像情報を前記無線通信を介して受信する映像情報受信部と、
を備えることを特徴とするサーバ装置。
【請求項２】
無線通信手段を有する電子カメラを所持するユーザの安全をサーバ装置により監視する監視システムであって、
前記サーバ装置は、
前記電子カメラが外部から取得した現在位置を示す位置情報を、前記電子カメラ毎に無線通信を介して受信する位置情報受信部と、
前記電子カメラにより撮影された画像の解析結果から得られた不審者を示す不審者情報を、複数の前記電子カメラのうちの少なくとも１つから前記無線通信を介して受信する不審者情報受信部と、
前記不審者情報受信部が前記不審者情報を受信した場合、前記不審者情報を送信した電子カメラからの位置情報に基づいて、該電子カメラの周辺に存在する電子カメラを特定する特定部と、
前記不審者情報を送信した電子カメラ及び前記特定部が特定した電子カメラに対して、前記不審者情報に基づく映像情報の送信要求を前記無線通信を介して送信する送信要求部と、
前記不審者情報を送信した電子カメラ及び前記特定部が特定した電子カメラから前記映像情報を前記無線通信を介して受信する映像情報受信部と、
を備えることを特徴とする監視システム。
【請求項３】
請求項２に記載の監視システムにおいて、
前記電子カメラは、
被写体像を撮像し、画像を生成する撮像素子と、
前記撮像素子が時系列に生成する画像のデータをメモリに記録する記録処理部と、
前記位置情報を外部から取得する位置情報取得部と、
前記位置情報取得部が取得した前記位置情報を前記サーバ装置に送信する第１送信処理部と、
顔の特徴を示す顔情報を複数登録するデータベースと、
前記画像を解析し、顔を認識する顔認識部と、
前記データベースを照合し、前記顔認識部が認識した顔の人物が不審者か否かを判定する判定部と、
前記判定部が不審者と判定した場合、前記不審者を示す不審者情報を前記サーバ装置に送信する第２送信処理部と、
前記サーバ装置からの前記送信要求に応じて、前記メモリに記録されている画像データを前記映像情報として前記サーバ装置に送信する第３送信処理部と、
を備えることを特徴とする監視システム。
【請求項４】
請求項３に記載の監視システムにおいて、
前記位置情報取得部は、ＧＰＳ（Global Positioning System）衛星から前記位置情報を取得し、
前記顔認識部が認識した顔の人物の顔情報が前記データベースに登録されておらず、かつ、予め設定した指定時間内に前記位置情報の値に変化がない場合、前記判定部は、前記顔の人物を前記不審者と判定することを特徴とする監視システム。
【請求項５】
請求項３又は請求項４に記載の監視システムにおいて、
前記電子カメラは、前記不審者を特定する入力信号をユーザ入力により受け付ける入力部をさらに備え
前記判定部は、前記入力部が前記入力信号を受け付けた場合に前記顔認識部が認識している顔の人物を前記不審者として優先的に判定することを特徴とする監視システム。
【発明の詳細な説明】
【技術分野】
【０００１】
本発明は、サーバ装置及び監視システムに関する。
【背景技術】
【０００２】
近年、児童の登下校時の安全を監視するシステムが提案されている（例えば、特許文献１参照）。このシステムでは、ランドセルに装着された電子カメラが撮影した児童の前方に存在する被写体の画像を、無線通信手段を介して保護者宅に備えられた端末装置に送信する。保護者は、例えば、端末装置から児童の前方に不審者がいるか否かを判定できる。
【先行技術文献】
【特許文献】
【０００３】
【特許文献１】特開２００６−２８５７４９号公報
【発明の概要】
【発明が解決しようとする課題】
【０００４】
しかし、上記の従来技術では、電子カメラの画角によっては、必ずしも不審者が見え易く映っているとは限らない。
【０００５】
そこで、本発明は、上記事情に鑑み、例えば通学班で移動する児童の登下校時に不審者が現れた場合、その不審者の映像を多角的に取得して監視する手段を提供することを目的とする。
【課題を解決するための手段】
【０００６】
第１の発明に係るサーバ装置は、位置情報受信部と、不審者情報受信部と、特定部と、送信要求部と、映像情報受信部とを備える。位置情報受信部は、無線通信手段を有する電子カメラが外部から取得した現在位置を示す位置情報を、ユーザが所持する電子カメラ毎に無線通信を介して受信する。不審者情報受信部は、電子カメラにより撮影された画像の解析結果から得られた不審者を示す不審者情報を、複数の電子カメラのうちの少なくとも１つから無線通信を介して受信する。特定部は、不審者情報受信部が不審者情報を受信した場合、不審者情報を送信した電子カメラからの位置情報に基づいて、その電子カメラの周辺に存在する電子カメラを特定する。送信要求部は、不審者情報を送信した電子カメラ及び特定部が特定した電子カメラに対して、不審者情報に基づく映像情報の送信要求を無線通信を介して送信する。映像情報受信部は、不審者情報を送信した電子カメラ及び特定部が特定した電子カメラから映像情報を無線通信を介して受信する。
【０００７】
第２の発明に係る監視システムは、無線通信手段を有する電子カメラを所持するユーザの安全をサーバ装置により監視する。サーバ装置は、位置情報受信部と、不審者情報受信部と、特定部と、送信要求部と、映像情報受信部とを備える。位置情報受信部は、電子カメラが外部から取得した現在位置を示す位置情報を、電子カメラ毎に無線通信を介して受信する。不審者情報受信部は、電子カメラにより撮影された画像の解析結果から得られた不審者を示す不審者情報を、複数の電子カメラのうちの少なくとも１つから無線通信を介して受信する。特定部は、不審者情報受信部が不審者情報を受信した場合、不審者情報を送信した電子カメラからの位置情報に基づいて、その電子カメラの周辺に存在する電子カメラを特定する。送信要求部は、不審者情報を送信した電子カメラ及び特定部が特定した電子カメラに対して、不審者情報に基づく映像情報の送信要求を無線通信を介して送信する。映像情報受信部は、不審者情報を送信した電子カメラ及び特定部が特定した電子カメラから映像情報を無線通信を介して受信する。
【０００８】
第３の発明は、第２の発明において、電子カメラは、撮像素子と、位置情報取得部と、第１送信処理部と、データベースと、顔認識部と、判定部と、第２送信処理部と、第３送信処理部とを備える。撮像素子は、被写体像を撮像し、画像を生成する。記録処理部は、撮像素子が時系列に生成する画像データをメモリに記録する。位置情報取得部は、位置情報を外部から取得する。第１送信処理部は、位置情報取得部が取得した位置情報をサーバ装置に送信する。データベースは、顔の特徴を示す顔情報を複数登録する。顔認識部は、画像を解析し、顔を認識する。判定部は、データベースを照合し、顔認識部が認識した顔の人物が不審者か否かを判定する。第２送信処理部は、判定部が不審者と判定した場合、不審者を示す不審者情報をサーバ装置に送信する。第３送信処理部は、サーバ装置からの送信要求に応じて、メモリに記録されている画像データを映像情報としてサーバ装置に送信する。
【０００９】
第４の発明は、第３の発明において、位置情報取得部は、ＧＰＳ（Global Positioning System）衛星から位置情報を取得する。顔認識部が認識した顔の人物の顔情報がデータベースに登録されておらず、かつ、予め設定した指定時間内に位置情報の値に変化がない場合、判定部は、顔の人物を不審者と判定する。
【００１０】
第５の発明は、第３又は第４の発明において、電子カメラは、入力部をさらに備える。入力部は、不審者を特定する入力信号をユーザ入力により受け付ける。判定部は、入力部が入力信号を受け付けた場合に顔認識部が認識している顔の人物を不審者として優先的に判定する。
【発明の効果】
【００１１】
本発明によれば、例えば通学班で移動する児童の登下校時に不審者が現れた場合、その不審者の映像を多角的に取得して監視する手段を提供できる。
【図面の簡単な説明】
【００１２】
【図１】本発明の一実施形態における監視システム１００の全体構成図
【図２】電子カメラ１０の構成例を説明するブロック図
【図３】サーバ装置１の構成例を説明するブロック図
【図４】監視システム１００における電子カメラ１０の動作例を示すフローチャート
【図５】監視システム１００におけるサーバ装置１の動作例を示すフローチャート
【図６】監視システム１００を模式的に説明する図
【図７】監視システム１００を模式的に説明する図
【図８】監視システム１００を模式的に説明する図
【発明を実施するための形態】
【００１３】
以下、図面に基づいて本発明の実施の形態を詳細に説明する。
【００１４】
図１は、本発明の一実施形態における監視システム１００の全体構成図である。監視システム１００は、児童の登下校時の安全を監視するシステムである。換言すると、監視システム１００は、児童の登下校時に不審者が現れた場合、その不審者の映像を多角的に取得して監視するシステムである。
【００１５】
監視システム１００は、サーバ装置１と、基地局４０と、インターネット網４１と、複数の電子カメラ１０とを使用する。さらに、監視システム１００は、電子カメラ１０に位置情報を提供するＧＰＳ（Global Positioning System）衛星３１を使用する。電子カメラ１０は、携帯電話機能を有している。図１では、首かけタイプの電子カメラ１０を例示している。具体的には、電子カメラ１０は、図２に示す撮影光学系１１のレンズが児童（Ｐ１、Ｐ２、Ｐ３）の正面方向を向くようにして装着される。これにより、電子カメラ１０は、被写体を撮影できる。
【００１６】
なお、電子カメラ１０は、撮影光学系１１のレンズが児童の正面方向を向くようにして、通学時に身につける物（ランドセル、鞄、帽子、水筒等）に装着されても良い。また、電子カメラ１０は、必要に応じて、児童の手により構図が設定されて撮影が行なわれても良い。以下、電子カメラ１０及びサーバ装置１の構成について具体的に説明する。
【００１７】
（電子カメラ１０の構成）
図２は、電子カメラ１０の構成例を説明するブロック図である。ここで、電子カメラ１０は、児童の行動履歴を記録する監視モードの機能を有している。監視モードでは、例えば、児童が装着している電子カメラ１０が継続的に動画や音声を記録することにより、その児童が通学路で目にする光景を映像情報として取得する。
【００１８】
電子カメラ１０は、図２に示す通り、撮影光学系１１と、撮像素子１２と、信号処理部１３と、ＲＡＭ（Random Access Memory）１４と、画像処理部１５と、フラッシュメモリ１６と、表示モニタ１７と、記録インターフェース部（以下「記録Ｉ／Ｆ部」という）１８と、通信部１９と、アンテナ１９ａと、音声処理部２０と、スピーカ２１と、マイク２２と、操作部２３と、レリーズ釦２４と、ＧＰＳ受信機２５と、緊急連絡用ボタン２６と、ＣＰＵ（Central Processing Unit）２７と、バス２８とを備える。
【００１９】
このうち、信号処理部１３、ＲＡＭ１４、画像処理部１５、フラッシュメモリ１６、表示モニタ１７、記録Ｉ／Ｆ部１８、通信部１９、音声処理部２０及びＣＰＵ２７は、バス２８を介して互いに接続されている。
【００２０】
撮影光学系１１は、ズームレンズとフォーカスレンズとを含む複数のレンズ群で構成されている。なお、簡単のため、図２では、撮影光学系１１を１枚のレンズとして図示する。撮像素子１２は、被写体の像を撮像して画像データを生成する。撮像素子１２は、例えばＣＣＤ（Charge Coupled Device）型のカラーイメージセンサである。なお、撮像素子１２は、ＣＭＯＳ（Complementary Metal-Oxide Semiconductor）型のカラーイメージセンサであっても良い。信号処理部１３は、例えば、アナログフロントエンド（ＡＦＥ）回路と、Ａ／Ｄ変換部と、デジタルフロントエンド（ＤＦＥ）回路とを有している。
【００２１】
ＡＦＥ回路は、撮像素子１２が出力する画像信号に対してアナログ信号処理を施す。Ａ／Ｄ変換部は、アナログの画像信号をデジタルの画像信号に変換する。ＤＦＥ回路は、Ａ／Ｄ変換後の画像信号にデジタル信号処理を施す。なお、信号処理部１３が出力する画像信号は、画像データとしてＲＡＭ１４に一時的に記録される。ＲＡＭ１４は、バッファメモリの機能を有し、画像データを一時的に記録する。さらに、ＲＡＭ１４は、ＣＰＵ２７の処理の過程で生成した画像データ等を一時的に記録する。
【００２２】
画像処理部１５は、ＲＡＭ１４に記録されている画像データを読み出し、必要に応じて各種の画像処理（例えば、輪郭強調処理、色補間処理等）を施す。
【００２３】
フラッシュメモリ１６は、不揮発性のメモリであって、例えば、電子カメラ１０の制御を行なうプログラムを予め記憶している。また、フラッシュメモリ１６は、携帯電話機能を制御するためのＯＳ（オペレーションシステム）等のプログラムを予め記憶している。さらに、フラッシュメモリ１６は、電子地図のデータを予め記憶している。また、フラッシュメモリ１６は、顔の特徴を示す顔情報のデータベース１６ａを有する。ここで、顔情報は、顔画像のデータであって、例えば顔領域の画像を含むＥｘｉｆ（Exchangeable image file format）形式の画像ファイルである。
【００２４】
なお、監視システム１００では、学校の教職員、学校の父兄、学校の児童、通学路内にある商店の店員等の協力を得て、これらの人々の顔画像のデータを非不審者リストとして予め登録しておく。さらに、監視システム１００では、例えば、警察が公開捜査している容疑者の顔画像のデータや警察等が情報提供している不審者の顔画像のデータを不審者リストとして登録しておく。
【００２５】
表示モニタ１７は、例えば液晶表示媒体により構成される。また、表示モニタ１７は、ＣＰＵ２７の指示に応じて、画像や電子カメラ１０の操作メニュー等を表示する。
【００２６】
記録Ｉ／Ｆ部１８は、データの書き込みや読み出しのインターフェースを提供する。記録Ｉ／Ｆ部１８には、着脱自在の記録媒体３０を接続するためのコネクタ（不図示）が形成されている。記録媒体３０は、一例として、不揮発性のメモリカードである。図２では、コネクタに接続された後の記録媒体３０を示している。通信部１９は、アンテナ１９ａを介して基地局４０との無線通信を行なう。なお、通信部１９は、後述する位置情報、不審者情報、映像情報等のデータを基地局４０に向けて無線送信する。これにより、位置情報、不審者情報、映像情報等のデータは、インターネット網４１を介してサーバ装置１に送信される。
【００２７】
音声処理部２０は、マイク２２を介して入力されたアナログの音声信号をデジタルの音声信号（音声データ）に変換する。また、音声処理部２０は、音声信号をスピーカ２１を介して音声に変換し、その音声の出力処理を行なう。
【００２８】
操作部２３は、タッチパネル方式を採用し、表示モニタ１７上のタッチパネル表面に接触した指先等の位置を検出する。そして、操作部２３は、検出した位置情報をＣＰＵ２７に出力することで児童からの操作を受け付ける。レリーズ釦２４は、半押し操作の指示入力と全押し操作（撮像動作開始）との指示入力とを受け付ける。
【００２９】
ＧＰＳ受信機２５は、ＧＰＳ衛星３１からの電波をＧＰＳアンテナ（不図示）により受信して、位置情報（経度、緯度、方位等）をＣＰＵ２７に出力する。緊急連絡用ボタン２６は、不審者を特定する入力信号をユーザ入力により受け付ける（詳細は、後述する）。
【００３０】
ＣＰＵ２７は、各種演算及び電子カメラ１０の制御を行なうプロセッサである。ＣＰＵ２７は、フラッシュメモリ１６に予め格納されたシーケンスプログラムを実行することにより、電子カメラ１０の各部の制御等を行なう。また、ＣＰＵ２７は、時刻等の計時機能を有する。
【００３１】
また、ＣＰＵ２７は、携帯電話機能を制御するためのＯＳ（オペレーションシステム）を起動することにより、携帯電話機能に応じた各種の処理を行なう。また、ＣＰＵ２７は、位置情報取得部２７ａと、第１送信処理部２７ｂと、記録処理部２７ｃと、顔認識部２７ｄと、判定部２７ｅと、第２送信処理部２７ｆと、第３送信処理部２７ｇとしても機能する。
【００３２】
位置情報取得部２７ａは、児童の現在位置を示す位置情報をＧＰＳ受信機２５から取得する。第１送信処理部２７ｂは、位置情報を通信部１９を介して、サーバ装置１に送信する処理を行なう。記録処理部２７ｃは、記録Ｉ／Ｆ部１８を介して、映像情報を必要に応じてフラッシュメモリ１６又は記録媒体３０に記録する処理を行なう。なお、映像情報は、画像データ及び音声データでも良く、又は、画像データのみであっても良い。
【００３３】
顔認識部２７ｄは、画像を解析して顔を認識する。具体的には、顔認識部２７ｄは、例えば、スルー画像から特徴点（特徴量）を抽出して顔領域（顔画像）、その顔領域の大きさ等を認識する顔認識処理を行なう。例えば、顔認識部２７ｄは、特開２００１−１６５７３号公報等に記載された特徴点抽出処理によって顔領域を抽出する。上記の特徴点としては、例えば、眉、目、鼻、唇の各端点、顔の輪郭点、頭頂点や顎の下端点等が挙げられる。そして、顔認識部２７ａは、顔領域の位置情報を特定する。
【００３４】
判定部２７ｅは、データベース１６ａ内の顔情報を照合し、顔認識部２７ｄが認識した顔の人物が不審者か否かを判定する。具体的には、判定部２７ｅは、顔認識部２７ｄが認識したスルー画像内の顔画像と、データベース１６ａに登録されている顔画像とをパターンマッチング等により照合する。この場合、判定部２７ｅは、顔認識部２７ｄが認識したスルー画像内の顔画像が、不審者リストの人物に該当した場合、そのスルー画像内の顔の人物を不審者と判定する。なお、顔認識部２７ｄが認識したスルー画像内の顔画像が非不審者リスト及び不審者リストに登録されておらず、かつ、予め設定した指定時間内に位置情報の値に変化がない場合、判定部２７ｅは、顔の人物を不審者と判定する。これは、児童が所定時間立ち止まっている場合には、不審者が児童にいわゆる声かけ等を行なっている可能性があるためである。
【００３５】
第２送信処理部２７ｆは、判定部２７ｅが不審者と判定した場合、不審者を示す不審者情報をサーバ装置１に送信する。第３送信処理部２７ｇは、サーバ装置１からの送信要求に応じて、例えばフラッシュメモリ１６に記録されている画像データを映像情報としてサーバ装置１に送信する。詳細は後述する。
【００３６】
（サーバ装置１の構成）
図３は、サーバ装置１の構成例を説明するブロック図である。サーバ装置１は、インターネット網４１から基地局４０を経由する無線通信を介して、複数の電子カメラ１０との間でデータ通信を行なう。
【００３７】
ここで、サーバ装置１は、通信インターフェース部（以下「通信Ｉ／Ｆ部」という）２と、ハードディスク装置３と、表示モニタ４と、入出力インターフェース部（以下「入出力Ｉ／Ｆ部」という）５と、音声処理部６と、マイク６ａと、スピーカ６ｂと、操作部７と、サーバ用ＣＰＵ８と、バス９とを備える。
【００３８】
このうち、通信Ｉ／Ｆ部２と、ハードディスク装置３と、表示部４と、入出力Ｉ／Ｆ部５、音声処理部６及びサーバ用ＣＰＵ８は、バス９を介して互いに接続されている。
【００３９】
通信Ｉ／Ｆ部２は、サーバ装置１をインターネット網４１に接続するためのインターフェースを提供する。ハードディスク装置３は、サーバ用ＣＰＵ８が実行する制御プログラムを格納する。また、ハードディスク装置３は、電子カメラ１０から受信したデータ等を格納する。さらに、ハードディスク装置３は、電子地図をデータベースとして格納する。
【００４０】
表示モニタ４は、例えば液晶表示媒体により構成される。入出力Ｉ／Ｆ部５は、ＵＳＢ（Universal Serial Bus）等の規格に基づくインターフェースを提供する。
【００４１】
音声処理部６は、マイク６ａを介して入力されたアナログの音声信号をデジタルの音声信号に変換して音声信号を取得する。また、音声処理部６は、音声信号をスピーカ６ｂを介して音声に変換し、その音声の出力処理を行なう。操作部７は、キーボードやマウス等、サーバ用ＣＰＵ８に対してサーバ装置１の利用者が指示入力を行なうための入力デバイスである。
【００４２】
サーバ用ＣＰＵ８は、ハードディスク装置３に予め格納された制御プログラムを実行することで、サーバ装置１の各部を統括制御する。また、サーバ用ＣＰＵ８は、位置情報受信部８ａと、不審者情報受信部８ｂと、特定部８ｃと、送信要求部８ｄと、映像情報受信部８ｅ、表示制御部８ｆとしても機能する。
【００４３】
位置情報受信部８ａは、電子カメラ１０がＧＰＳ衛星３１から取得した現在位置を示す位置情報を、児童が所持する電子カメラ１０毎に無線通信を介して受信する。不審者情報受信部８ｂは、不審者情報を、無線通信を介して受信する。特定部８ｃは、不審者情報受信部８ｂが不審者情報を受信した場合、不審者情報を送信した電子カメラ１０からの位置情報に基づいて、その電子カメラ１０の周辺に存在する他の電子カメラ１０を特定する。
【００４４】
送信要求部８ｄは、不審者情報を送信した電子カメラ１０及び特定部８ｂが特定した他の電子カメラ１０に対して、不審者情報に基づく映像情報の送信要求を無線通信を介して送信する。映像情報受信部８ｅは、不審者情報を送信した電子カメラ１０及び特定部が特定した他の電子カメラ１０から映像情報を無線通信を介して受信する。表示制御部８ｆは、表示モニタ４に表示する画像等の表示態様を制御する。
【００４５】
次に、本実施形態における監視システム１００の動作の一例を説明する。図４は、監視システム１００における電子カメラ１０の動作例を示すフローチャートである。図５は、監視システム１００におけるサーバ装置１の動作例を示すフローチャートである。図６、図７及び図８は、監視システム１００を模式的に説明する図である。
【００４６】
ここで、説明をわかりやすくするため、監視システム１００では、図６に示す児童Ｐ１、Ｐ２及びＰ３の３人が通学班を構成し、集合場所５１から学校５２までの道のりを通学路に沿って移動することとする。なお、説明の便宜上、３人の児童の保護者宅はマンション５０であることとする。また、図１に示すサーバ装置１は、学校５２の職員室等に設置されていることとする。
【００４７】
監視システム１００では、例えば各児童がマンション５０（又は学校５２）を出発する際、各児童により電子カメラ１０の電源がオンされると、監視モードに移行して図４に示すフローの処理を開始する。また、監視システム１００では、学校５２の教職員によりサーバ装置１の電源がオンされると、監視システム１００のプログラムが起動して、図５に示すフローの処理を開始する。以下、電子カメラ１０、サーバ装置１の動作例を順番に説明する。
【００４８】
（電子カメラ１０の動作）
ステップＳ１０１：ＣＰＵ２７の位置情報取得部２７ａは、位置情報の取得を開始する。具体的には、位置情報取得部２７ａは、児童の現在位置を示す位置情報をＧＰＳ受信機２５から取得する。なお、位置情報取得部２７ａは、緯度、経度に基づいて、電子地図上の位置を特定して、その電子地図上の位置を位置情報として送信しても良い。
【００４９】
ステップＳ１０２：ＣＰＵ２７の第１送信処理部２７ｂは、サーバ装置１に位置情報の送信を開始する。具体的には、第１送信処理部２７ｂは、通信部１９に位置情報の送信の指示を出す。通信部１９は、アンテナ１９ａを介して基地局４０との無線通信を行なう。これにより、位置情報のデータは、インターネット網４１を介して、サーバ装置１に送信される。なお、位置情報取得部２７ａが位置情報に基づいて移動を検知すると、第１送信処理部２７ｂは、サーバ装置１に位置情報を継続的に送信し続ける。
【００５０】
ステップＳ１０３：ＣＰＵ２７の記録処理部２７ｃは、映像情報の記録を開始する。具体的には、記録処理部２７ｃは、撮像素子１２が時系列に生成する動画のデータを映像情報の一種として、ＭＰＥＧ（Moving Picture Experts Group）形式の動画データに圧縮してフラッシュメモリ１６に記録して行く。
【００５１】
ステップＳ１０４：ＣＰＵ２７の顔認識部２７ｄは、顔認識処理を開始する。具体的には、顔認識部２７ｄは、スルー画像を解析して、特徴点を抽出して顔画像を認識する顔認識処理を開始する。
【００５２】
ステップＳ１０５：ＣＰＵ２７の顔認識部２７ｄは、顔認識処理により人物に遭遇したか否かを判定する。すなわち、顔認識部２７ｄは、スルー画像を解析して、画像内に顔が存在するか否かを判定する。これにより、顔認識部２７ｄは、人物に遭遇したか否かを判定できる。
【００５３】
したがって、人物に遭遇しなかった場合（ステップＳ１０５：Ｎｏ）、ＣＰＵ２７は、後述するステップＳ１０８の処理に移行する。一方、人物に遭遇した場合（ステップＳ１０５：Ｙｅｓ）、ＣＰＵ２７は、ステップＳ１０６の処理に移行する。
【００５４】
ステップＳ１０６：ＣＰＵ２７の判定部２７ｅは、データベース１６ａを用いて顔の照合処理を行なう。具体的には、判定部２７ｅは、顔認識部２７ｄが認識したスルー画像内の顔画像と、データベース１６ａに登録されている非不審者リスト及び不審者リストの顔画像とをパターンマッチング等により照合する。そして、ＣＰＵ２７は、ステップＳ１０７の処理に移行する。
【００５５】
ステップＳ１０７：ＣＰＵ２７の判定部２７ｅは、不審者か否かを判定する。すなわち、顔認識部２７ｄが認識した顔画像が非不審者リストの顔画像の何れかと一致した場合、判定部２７ｅは、顔認識部２７ｄが認識した顔の人物が不審者でないと判定する。また、顔認識部２７ｄが認識した顔画像が不審者リストの顔画像の何れかと一致した場合、判定部２７ｅは、顔認識部２７ｄが認識した顔の人物が不審者であると判定する。また、顔認識部２７ｄが認識したスルー画像内の顔画像が非不審者リスト及び不審者リストに登録されておらず、かつ、予め設定した指定時間内に位置情報の値に変化がない場合、判定部２７ｅは、顔の人物を不審者と判定する。これは、不審者リストに登録されていない不審者がいわゆる声かけをしている可能性があるからである。
【００５６】
以上より、顔認識部２７ｄが認識した顔画像が不審者である判定結果の場合（ステップＳ１０７：Ｙｅｓ）、ＣＰＵ２７は、後述するステップＳ１１０の処理に移行する。一方、顔認識部２７ｄが認識した顔画像が不審者でない判定結果の場合（ステップＳ１０７：Ｎｏ）、ＣＰＵ２７は、ステップＳ１０８の処理に移行する。
【００５７】
ステップＳ１０８：ＣＰＵ２７は、所定時間を超えても第１の指定場所を児童が通過していないかを判定する。ここで、第１の指定場所とは、通学路上の任意の地点である。ＣＰＵ２７は、ユーザ入力により予め電子カメラ１０のフラッシュメモリ１６に第１の指定場所の位置情報を登録しておく。ＣＰＵ２７は、児童が通学班の集合場所からの移動を開始すると、計時機能により、出発時刻をＲＡＭ１４に一時的に記録する。ここで、所定時間とは、児童が通常の速度で歩いた場合に余裕を持って第１の指定場所を通過できる時間とする。これにより、ＣＰＵ２７は、ＧＰＳ衛星３１からの位置情報に基づいて、所定時間を越えても第１の指定場所を児童が通過していないかを判定できる。
【００５８】
したがって、所定時間を越えても第１の指定場所を児童が通過しない判定結果の場合（ステップＳ１０８：Ｙｅｓ）、ＣＰＵ２７は、後述するステップＳ１１０の処理に移行する。一方、まだ、第１の指定場所を通過していないものの所定時間内である場合、又は、所定時間内に第１の指定場所を児童が通過した判定結果の場合（ステップＳ１０８：Ｎｏ）、ＣＰＵ２７は、ステップＳ１０９の処理に移行する。
【００５９】
ステップＳ１０９：ＣＰＵ２７は、第２の指定場所を到着したか否かを判定する。ここで、第２の指定場所は、例えば、登校の場合には学校５２の正門であり、下校の場合にはマンション５０（保護者宅）とする。ＣＰＵ２７は、ユーザ入力により予め電子カメラ１０のフラッシュメモリ１６に第２の指定場所の位置情報を登録しておく。
【００６０】
ここで、第２の指定場所を到着していない判定結果の場合（ステップＳ１０９：Ｎｏ）、ＣＰＵ２７は、ステップＳ１０５の処理に再び戻る。この場合は、児童が不審者に出合うことなく、現在登校中、又は下校中であることを意味する。
【００６１】
一方、第２の指定場所を到着した判定結果の場合（ステップＳ１０９：Ｙｅｓ）、ＣＰＵ２７は、図４に示すフロー処理を終了させる。この場合は、児童が不審者に出合うことなく、登校又は下校できたことを意味する。
【００６２】
ステップＳ１１０：ＣＰＵ２７の第２送信処理部２７ｆは、不審者情報をサーバ装置１に送信する。図６では、児童Ｐ１の所持する電子カメラ１０（図１参照）からサーバ装置１（図１参照）に向けて、第２送信処理部２７ｆが不審者情報を送信する処理（図中、点線の矢印）を模式的に示している。
【００６３】
ここで、ステップＳ１０７の処理からステップＳ１１０の処理に移行した場合、第２送信処理部２７ｆは、不審者（例えば図６中の不審者Ｘ）に遭遇した旨の不審者情報をサーバ装置１に送信する。また、ステップＳ１０８の処理からステップＳ１１０の処理に移行した場合、所定時間を越えても児童が第１の通過点を通過していないため、第２送信処理部２７ｆは、顔の照合処理での判定が困難であって、不審者に連れ去られた可能性がある旨の不審者情報をサーバ装置１に送信する。
【００６４】
ステップＳ１１１：ＣＰＵ２７は、サーバ装置１から送信要求の受信を受け付けたか否かを判定する。送信要求を受信していない場合（ステップＳ１１１：Ｎｏ）、ＣＰＵ２７は、ステップＳ１１１の処理を繰り返し、送信要求の受信待ち状態となる。一方、送信要求を受信した場合（ステップＳ１１１：Ｙｅｓ）、ＣＰＵ２７は、ステップＳ１１２の処理に移行する。
【００６５】
ステップＳ１１２：ＣＰＵ２７の第３送信処理部２７ｇは、フラッシュメモリ１６に記録されている画像データを映像情報としてサーバ装置１に送信する。この場合、第３送信処理部２７ｇは、一例として、送信要求を受信した後からの映像情報を送信する。そして、ＣＰＵ２７は、サーバ装置１から映像情報の送信処理の終了要求を受信すると、図４に示すフローの処理を終了させる。
【００６６】
なお、本実施形態では、図４に示すフローの処理の実行中に、サーバ装置１から送信要求を通信部１９を介してＣＰＵ２７が受信した場合、優先度の高い割り込みタスクを発生させる。すなわち、ＣＰＵ２７は、図４に示すフローの処理を中断し、第３送信処理部２７ｇは、フラッシュメモリ１６に記録されている画像データを映像情報としてサーバ装置１に送信する。割り込みタスクは、他の電子カメラ１０がサーバ装置１に不審者情報を送信した場合に発生する。
【００６７】
（サーバ装置１の動作）
ステップＳ２０１：サーバ用ＣＰＵ８の位置情報受信部８ａは、位置情報の受信を開始する。具体的には、位置情報受信部８ａは、児童Ｐ１、Ｐ２及びＰ３が所持する電子カメラ１０毎に位置情報を無線通信を介して受信する。サーバ用ＣＰＵ８は、児童別に位置情報を管理する。すなわち、サーバ用ＣＰＵ８は、ハードディスク装置３に割り当てられたメモリ領域に対して、児童別に現在の位置情報を上書きして行く。なお、本実施形態では、説明をわかりやすくするため、図５に示すフローの処理において、児童Ｐ１の所持する電子カメラ１０から不審者情報が送信されることとする。したがって、以下の文章中で、「他の電子カメラ１０」とは、児童Ｐ２、Ｐ３が所持している電子カメラを指すこととする。
【００６８】
ステップＳ２０２：サーバ用ＣＰＵ８は、不審者情報受信部８ｂが不審者情報を受信したか否かを判定する。不審者情報受信部８ｂが不審者情報を受信していない場合（ステップＳ２０２：Ｎｏ）、サーバ用ＣＰＵ８は、ステップＳ２０２の処理を繰り返し、不審者情報の受信待ち状態となる。
【００６９】
一方、不審者情報受信部８ｂが不審者情報を受信した場合（ステップＳ２０２：Ｙｅｓ）、サーバ用ＣＰＵ８は、ステップＳ２０３の処理に移行する。なお、不審者情報受信部８ｂは、不審者情報を無線通信を介して受信すると、その不審者情報をハードディスク装置３に記録する処理を行なう。
【００７０】
ステップＳ２０３：サーバ用ＣＰＵ８の特定部８ｃは、不審者情報を送信した電子カメラ１０からの位置情報に基づいて、周辺に存在する他の電子カメラ１０を特定する。具体的には、特定部８ｃは、不審者情報を送信した電子カメラ１０からの位置情報を中心にして半径ｒ［ｍ］（例えば１０［ｍ］）以内に、他の電子カメラ１０から位置情報が送信されてきているか否かをチェックする。この場合、特定部８ｃは、ハードディスク装置３に記録されている児童別の位置情報を参照して、１０［ｍ］以内に存在する他の電子カメラ１０を特定する。
【００７１】
ステップＳ２０４：サーバ用ＣＰＵ８の送信要求部８ｄは、送信要求処理を行なう。具体的には、送信要求部８ｄは、不審者情報を送信した電子カメラ１０及び特定部８ｂが特定した他の電子カメラ１０に対して、不審者情報に基づく映像情報の送信要求を無線通信を介して送信する。この場合、送信要求部８ｄは、児童Ｐ１、Ｐ２及びＰ３が所持する電子カメラ１０に対して、送信要求の処理を行なう。図７では、児童Ｐ１、Ｐ２及びＰ３が所持する電子カメラ１０に向けてサーバ装置１の送信要求部８ｄが送信要求する処理（図中、点線の矢印）を模式的に示している。
【００７２】
ステップＳ２０５：サーバ用ＣＰＵ８は、映像情報受信部８ｅが送信要求先の電子カメラ１０から映像情報を受信したか否かを判定する。映像情報受信部８ｅが映像情報を受信していない場合（ステップＳ２０５：Ｎｏ）、サーバ用ＣＰＵ８は、ステップＳ２０５の処理を繰り返し、映像情報の受信待ち状態となる。
【００７３】
一方、映像情報受信部８ｅが複数の電子カメラ１０から映像情報を受信した場合（ステップＳ２０５：Ｙｅｓ）、サーバ用ＣＰＵ８は、ステップＳ２０６の処理に移行する。
図８では、児童Ｐ１、Ｐ２及びＰ３が所持する電子カメラ１０が、映像情報をサーバ装置１に送信した状態（図中、点線の矢印）を模式的に示している。なお、映像情報受信部８ｅは、映像情報を無線通信を介して受信すると、その映像情報をハードディスク装置３に記録する処理を行なう。
【００７４】
ステップＳ２０６：サーバ用ＣＰＵ８の表示制御部８ｆは、表示モニタ４に映像を表示させる。例えば、表示制御部８ｆは、表示画面のウィンドウを分割して、児童Ｐ１、Ｐ２及びＰ３の所持する電子カメラ１０からの映像を同時に表示させる。この場合、児童Ｐ１、Ｐ２及びＰ３が所持する電子カメラ１０からリアルタイムで映像情報が送信されてきている。すなわち、監視システム１００では、不審者情報を送信した電子カメラ１０を所持する児童の周辺にいる児童の映像までも確認することができる。そのため、監視システム１００では、不審者の映像を多角的に監視することができる。例えば、１台の電子カメラ１０からの不審者の映像が不鮮明であったとしても、他の電子カメラ１０からの不審者の映像が鮮明であれば、教職員は、不審者の映像に基づいて、警察に通報する等の措置をすぐに行なうことができる。
【００７５】
なお、教職員が、監視システム１００の終了のコマンド入力を行なうと、サーバ用ＣＰＵ８は、電子カメラ１０に映像情報の送信処理の終了要求を送信した後、図５に示すフローの処理を終了させる。
【００７６】
以上より、本実施形態によれば、例えば通学班で移動する児童の登下校時に不審者が現れた場合、その不審者の映像を多角的に取得して監視する手段を提供することができる。
これにより、監視システム１００は、児童の安全のみならず地域安全にも貢献することができる。
【００７７】
また、本実施形態では、学校内のすべての児童の映像情報をサーバ装置１が受信しなくて済むので、サーバ装置１の処理の負荷が軽減されると共にメモリの容量が軽減される。また、監視者（例えば、教職員）は、学校内のすべての児童の映像を表示モニタ４上でチェックする手間を省くことができる。
【００７８】
（実施形態の補足事項）
（１）上記実施形態では、顔認識処理を用いてデータベース１６ａを照合することにより不審者を判定した。上記実施形態の変形例としては、例えば、児童が不審者だと感じた場合、図１に示す緊急連絡用ボタン２６の入力を受け付ける処理を追加しても良い。すなわち、緊急連絡用ボタン２６は、不審者を特定する入力信号をユーザ入力により受け付ける。この場合、判定部２７ｅは、顔認識部２７ｄが認識している顔の人物を不審者として優先的に判定する。そして、第２送信処理部２７ｆは、不審者情報をサーバ装置１に送信する。これにより、判定部２７ｅは、不審者を的確に判定することができる。なお、図１に示す操作部２３のタッチパネルにより、不審者を特定する入力信号をユーザ入力により受け付ける構成としても良い。
【００７９】
（２）上記実施形態では、学校内に設置されているサーバ装置１について説明したが、サーバ装置１は、保護者宅にも設置して良い。この場合、電子カメラ１０は、複数のサーバ装置１に、位置情報、不審者情報及び映像情報を送信する。したがって、不審者が現れた場合、教職員や児童の親は、映像をリアルタイムで確認することができる。なお、監視システム１００では、学校関係者、児童の保護者のみがネットワーク回線を使えるようにパスワード管理等で制限する構成としても良い。
【００８０】
（３）上記実施形態では、データベース１６ａに非不審者リストを登録した。ここで、
データベース１６ａは、電子地図上の位置情報に基づいて顔情報を分類しても良い。そして、判定部２７ｅは、位置情報に基づいて、データベース１６ａの顔情報の照合対象を絞り込むことを特徴としても良い。つまり、全校児童を対象とすると、学校までの通学路は複数あるので、判定部２７ｅは、例えば、通学路上に該当しない店の店員の顔情報は、照合対象から外す。これより、判定部２７ｅは、処理時間をより短縮することができる。
【００８１】
（４）上記実施形態では、映像情報として動画のデータを例示したが、静止画像のデータであっても良い。この場合、電子カメラ１０では、所定の時間間隔で静止画像を撮影しても良い。
【００８２】
（５）上記実施形態では、電子カメラ１０側で、顔認識処理を行なって不審者の判定をした。上記実施形態の変形例としては、サーバ装置１側で、電子カメラ１０の顔認識部２７ｄ、判定部２７ｅ及びデータベース１６ａと同様の機能を備えても良い。これにより、サーバ装置１は、電子カメラ１０から位置情報と映像情報とを受信して、顔認識処理を行なって不審者の判定を行なっても良い。この場合、表示制御部８ｆは、不審者を判定した電子カメラ１０に記録されている映像のみを表示モニタ４に表示させるようにしても良い。これにより、監視者は、学校内のすべての児童の映像を表示モニタ４上でチェックする手間を省くことができる。
【００８３】
（６）上記実施形態では、複数の児童が通学班を構成して移動している場合について例示した。ここで、監視システム１００では、児童が下校中に友達を別れて一人になる場合も想定される。そこで、特定部８ｃは、不審者情報を送信した電子カメラ１０からの位置情報を中心にして半径ｒ［ｍ］（例えば１０［ｍ］）以内に、他の電子カメラ１０が存在しない場合には、半径を例えば５０［ｍ］というように探索範囲を他の電子カメラ１０が存在するまで拡大しても良い。これにより、映像情報受信部８ｅは、他の電子カメラ１０からの映像を受信できる。この場合、映像情報は、過去に遡って記録された画像であっても良い。つまり、監視者は、過去の映像を見ることで、不審者がその映像に映っているか否かを確認することができるからである。
【符号の説明】
【００８４】
１・・・サーバ装置、８ａ・・・位置情報受信部、８ｂ・・・不審者情報受信部、８ｃ・・・特定部、８ｄ・・・送信要求部、８ｅ・・・映像情報受信部、１０・・・電子カメラ、１００・・・監視システム
【図１】
2013161098.tif 000003
【図２】
2013161098.tif 000004
【図３】
2013161098.tif 000005
【図４】
2013161098.tif 000006
【図５】
2013161098.tif 000007
【図６】
2013161098.tif 000008
【図７】
2013161098.tif 000009
【図８】
2013161098.tif 000010